(57)【要約】【課題】  ハンドル回転操作が煩雑である点を解決することで、ハンドル回転操作を簡単に行うことを可能にする。【解決手段】  、機体１１の前部に枝葉などを切取る切取り刃１３，１４を設け、機体１１の後部に作業者が握るハンドル１５を回転可能に設け、このハンドル１５にスロットルレバー３６をスイング可能に設け、機体１１の中央に原動機１２を設けた動力作業機１０において、ハンドル１５に、機体１１の軸部３２に所定角度で係止できる係止機構８２と、この係止機構８２の解除を行う係止解除レバー８１と、スロットルレバー３６のスイングを規制したときには係止機構８２の作動を許容とするとともにスロットルレバー３６のスイングを許容したときには係止機構８２の作動を規制するストッパ部材８３と、ハンドル１５に昇降可能に取付けることでストッパ部材８３を操作するとともに原動機１２を始動させる始動スイッチ３９と、を備えた。【選択図】      図３
2005261393.tif 000002
【特許請求の範囲】
【請求項１】
機体の前部に枝葉などを切取る切取り刃を設け、機体の後部に作業者が握るハンドルを回転可能に設け、このハンドルにスロットルレバーを非作業位置から作業位置までスイング可能に設け、機体の中央に原動機を設け、この原動機で前記切取り刃を駆動し、原動機の出力を前記スロットルレバーで調整する形式の動力作業機において、
前記ハンドルは、前記機体の軸部に所定角度で係止できる係止機構と、この係止機構の解除を行う係止解除レバーと、前記スロットルレバーのスイングを規制したときには前記係止機構の作動を許容とするとともに前記スロットルレバーのスイングを許容したときには前記係止機構の作動を規制するストッパ部材と、前記ハンドルに昇降可能に取付けることで前記ストッパ部材を操作するとともに前記原動機を始動させる始動スイッチと、を備えたことを特徴とする動力作業機。
【発明の詳細な説明】
【技術分野】
【０００１】
本発明は、生垣の上面や側面を刈り込む時に刈り込み位置に応じてハンドルを回転させることで、作業性を向上させることができる動力作業機に関するものである。
【背景技術】
【０００２】
動力作業機として、機体にハンドルを回転自在に取付け、このハンドルに動力の出力を調整するスロットルレバーを設けるとともに、このスロットルレバーをロックすることのできるスロットルレバーを設けたものが実用に供されている。
実用の動力作業機は、スロットルレバーやスロットルロックレバーとは別に、機体にハンドルの回転を止める係止機構と、この係止機構を解除する係止解除レバーを備えるようにすれば実用上十分であった。
【０００３】
このような動力作業機として、スロットルワイヤに連動させた係止機構を備えたものが知られている（例えば、特許文献１参照。）。
【特許文献１】特開平１１−２８６８３号公報（第１１頁、図４）
【０００４】
図１３は従来の基本構成を説明する図であり、動力作業機２００は、機体２０１に回転自在に取付けたハンドル２０２と、このハンドル２０２にスイング自在に取付けたスロットルレバー２０３と、このスロットルレバー２０３をロックするスロットル固定レバー２０４と、スロットルレバー２０３の作動にともなって機体２０１側にせり出さすことで、機体２０１に当接させてハンドル２０２の回転を止める係止部材２０５と、を設けたハンドル構造をもつ作業機である。
【０００５】
すなわち、スロットル固定レバー２０４をスロットルレバー２０３から矢印ｃ１の如く外し、このスロットルレバー２０３を矢印ｃ２の如く握ることで、係止部材２０５を矢印ｃ３の如くせり出させ、機体２０１側にハンドル２０２をロックする。
【０００６】
しかし、動力作業機２００では、機体２０１に対してハンドル２０２を所定の角度まで回転させ、このハンドル２０２を機体２０１側にロックさせるために、スロットル固定レバー２０４をスロットルレバー２０３から解除し、このスロットルレバー２０３を握り、機体２０１側に係止部材２０５を押圧してハンドル２０２をロックするものなので、ハンドル２０２の回転及び固定操作が煩雑になるという問題があった。
【０００７】
また、動力作業機２００では、スロットルレバー２０３からスロットル固定レバー２０４を解除すると同時にハンドル２０２の回転をロックできるものではないので、例えば、遠心クラッチなどの接続機能のタイミング次第ではハンドル２０２を機体２０１側にロックする前に切取り刃（不図示）が作動する不確実なところがあるという欠点があった。
【０００８】
すなわち、ハンドル回転操作をシンプルな（単純な）操作で行うことができ、例えば、ハンドル回転操作中はスロットルを操作できないようにするとともに、スロットルレバー操作中はハンドル回転操作ができないようにするなどの対策を施すことで、誤操作を未然に防ぐことができる動力作業機が望まれる。
【発明の開示】
【発明が解決しようとする課題】
【０００９】
本発明は、ハンドル回転操作が煩雑である点を解決し、ハンドル回転操作を簡単に行うことができるとともに、スロットルレバー操作やハンドル回転操作に不確実性を含む点を解決し、スロットルレバー操作やハンドル回転操作を確実に行うことのできる動力作業機を提供することを課題とする。
【課題を解決するための手段】
【００１０】
請求項１に係る発明は、機体の前部に枝葉などを切取る切取り刃を設け、機体の後部に作業者が握るハンドルを回転可能に設け、このハンドルにスロットルレバーを非作業位置から作業位置までスイング可能に設け、機体の中央に原動機を設け、この原動機で切取り刃を駆動し、原動機の出力をスロットルレバーで調整する形式の動力作業機において、ハンドルに、機体の軸部に所定角度で係止できる係止機構と、この係止機構の解除を行う係止解除レバーと、スロットルレバーのスイングを規制したときには係止機構の作動を許容とするとともにスロットルレバーのスイングを許容したときには係止機構の作動を規制するストッパ部材と、ハンドルに昇降可能に取付けることでストッパ部材を操作するとともに原動機を始動させる始動スイッチと、を備えたことを特徴とする。
【００１１】
すなわち、係止機構の解除を行う係止解除レバーをハンドルに設けることで、スロットルレバー操作と分離させてハンドルの回転操作をするようにした。
スロットルレバーのスイングを規制したときには係止機構の作動を許容とするとともにスロットルレバーのスイングを許容したときには係止機構の作動を規制するストッパ部材をハンドルに設けることで、スロットルレバーの操作中は、ハンドルの回転操作を禁止するようにし、ハンドルの回転操作中はスロットルレバーの操作を禁止するようにした。
【００１２】
また、ストッパ部材を操作するために原動機を始動させる始動スイッチをハンドルに昇降可能に取付けることで、始動スイッチにストッパ部材の操作機能を兼ねさせる。
【発明の効果】
【００１３】
請求項１に係る発明では、係止機構の解除を行う係止解除レバーをハンドルに設けることで、スロットルレバー操作と分離させてハンドルの回転操作をすることができる。この結果、ハンドル回転操作を簡単に行うことができ、ハンドル操作の作業性を向上することができるという利点がある。
スロットルレバーのスイングを規制したときには係止機構の作動を許容とするとともにスロットルレバーのスイングを許容したときには係止機構の作動を規制するストッパ部材をハンドルに設けたので、スロットルレバーの操作中は、ハンドルの回転操作を禁止することができ、ハンドルの回転操作中はスロットルレバーの操作を禁止することができる。  この結果、スロットルレバー操作やハンドル回転操作を確実に行うことのできるという利点がある。
【００１４】
また、ストッパ部材を操作するために原動機を始動させる始動スイッチをハンドルに昇降可能に取付けたので、始動スイッチにストッパ部材の操作機能を兼ねさせる。この結果、始動スイッチに機能を集中させることができ、動力作業機の操作性の向上を図ることができる。
【発明を実施するための最良の形態】
【００１５】
本発明を実施するための最良の形態を添付図に基づいて以下に説明する。なお、図面は符号の向きに見るものとする。
図１は本発明に係る動力作業機の斜視図であり、動力作業機（携帯型作業機）１０は、エンジンなどの原動機（動力源）１２の回転を減速し、減速した回転を往復運動に変換し、この往復運動を上下の切取り刃（刈刃）１３，１４に伝達し、これらの上下の切取り刃１３，１４で生垣（hedge）の刈り込み作業を行う作業機であり、例えば、生垣の上面を刈り込む場合や生垣の側面を刈り込む場合における作業者の作業姿勢に応じてハンドル１５を回転できるようにしたものである。なお、動力作業機１０は、具体的には生垣などをトリミングするヘッジトリマ（hedge trimmer）である。
【００１６】
図２は本発明に係る動力作業機の側面図であり、動力作業機（ヘッジトリマ）１０は、機体１１に搭載した原動機１２と、この原動機１２に供給する燃料を貯留する燃料タンク１６と、原動機１２を始動するリコイルスタータ用ノブ１９と、原動機１２廻りを囲う原動機カバー２１と、原動機１２の前面に設けることで刈り込み時に発生する切り枝若しくは葉などの飛び跳ねを防ぐプロテクタ２２と、機体１１の底に設けることで刈り込み時に生垣などに滑らせて作業を進めるためのカバー部材２３と、機体１１の後方に回転自在に設けることで作業時に機体１１を一方の手で支持するハンドル１５と、機体１１の前方に設けることで作業時に機体１１を他方の手で支持する非回転式且つ閉ループ状の固定ハンドル２４と、機体１１の前方に延出することで上下の切取り刃１３，１４を支持する支持フレーム２５と、この支持フレーム２５に前後スライド可能に取付けた上下の切取り刃１３，１４と、これらの切取り刃１３，１４を支持フレーム２５に取付ける取付けねじ２６・・・（・・・は複数個を示す。以下同じ）と、これらの取付けねじ２６・・・にねじ込むナット２７・・・を主要構成とする作業機である。
【００１７】
図３は本発明に係る動力作業機のハンドルの側面断面図であり、半割りにした左右のハンドル半割体３３，３４（図１参照）の内の左のハンドル半割体３３を外した状態を示す。
機体１１には、原動機１２の回転を減速する減速機能及び減速回転を往復運動に変換する変換機能を内蔵などをするケース体３１と、このケース体３１に設けることでハンドル１５を回転自在に取付ける軸部３２と、を備える。
【００１８】
ハンドル１５は、半割りにした左右のハンドル半割体３３，３４（３３は不図示）を合わせることで組立てるハンドル本体３５と、このハンドル本体３５に回転自在に取付けることで原動機１２（図２参照）の出力を調整するスロットルレバー３６と、このスロットルレバー３６をロックするためにハンドル本体３５にスイング自在に取付けたスロットル固定レバー（スロットルロックレバー）３７と、係止解除レバー８１及び係止機構８２を一体的に形成することで機体１１からハンドルを回転可能状態若しくは機体１１にハンドルを係止状態にするレバー複合体３８と、原動機１２を始動可能状態若しくは停止状態にする始動スイッチ３９と、スロットルレバー３６のスイングを規制したときにはレバー複合体３８の作動を許容とするとともにスロットルレバー３６のスイングを許容したときにはレバー複合体３８の作動を規制するストッパ機構４１と、からなる。なお、スロットル固定レバー３７は、初期状態に戻すトーションばね４２を備える。
【００１９】
図４は本発明に係る動力作業機のハンドルの主な部品を示す分解斜視図である。
軸部３２は、ケース体３１（図２参照）に取付ける取付け部５１と、ハンドル本体３５を回転自在に支持する円筒部５２と、ハンドル本体３５を所定角度で係止するための溝５３・・・と、を備える。
【００２０】
左のハンドル半割体３３は、軸部３２に嵌合させる左嵌合部５４と、ストッパ機構４１をスライド可能に支持するストッパガイド部５６，５６と、レバー複合体３８を支持する（保持する）支持リブ（保持部）５７と、レバー複合体３８をスライド可能にガイドするレバーガイド部５８，５９と、を備える。
【００２１】
右のハンドル半割体３４は、スロットルレバー３６を回転自在に取付けるスロットルレバー用ボス６１と、スロットル固定レバー３７を回転自在に取付ける固定レバー用ボス６２と、軸部３２に嵌合させる右嵌合部６４と、始動スイッチ３９を昇降自在に支持するスイッチ支持部６６と、トーションばね４２の一端を支持するばね掛け部６７と、レバー複合体３８をスライド可能にガイドするガイド部６８，６９と、を備える。
【００２２】
スロットルレバー３６は、スロットルレバー用ボス６１に回転可能に嵌合させる軸孔７１と、スロットルワイヤ７２を支持する支持部７３と、スロットル固定レバー３７に当てる当て部７４と、スロットル固定レバー３７を逃がす逃げ部７５と、ストッパ部材を嵌合させる嵌合部７６、７６と、を備える。
スロットル固定レバー３７は、固定レバー用ボス６２に回転可能に嵌合させる孔７７と、スロットルレバー３６の当て部７４に当てる若しくは逃げ部７５に逃がす作用部７８と、トーションばね４２の他端を支持するばね支持部７９（図３参照）と、を備える。
【００２３】
レバー複合体３８は、係止解除レバー８１と、この係止解除レバー８１に一体的に形成した係止機構８２と、からなる。なお、係止解除レバー８１は、軸部３２の軸線（不図示）に沿って移動させる部材である。
【００２４】
ストッパ機構４１は、スロットルレバー３６の動き及び係止機構８２の動作を規制するストッパ部材８３と、このストッパ部材８３を取付けることで、一体的に作動させる始動スイッチ３９と、この始動スイッチ３９及び右のハンドル半割体３４のスイッチ支持部６６との間に介在させることで、初期状態に始動スイッチ３９及びストッパ部材８３を復帰させる圧縮ばね８５，８５と、からなる。
【００２５】
ストッパ部材８３は、係止機構８２の解除時にはスロットルレバー３６に係合させる第１の係合部８６と、スロットルレバー３６のスイング時には係止機構８２に係合させる第２の係合部８７と、を備え、軸部３２の軸線に垂直に移動させる部材である。
【００２６】
図５は本発明に係る動力作業機の係止解除レバー及び係止機構の横断面図であり、係止機構８２は、軸部３２の任意の溝５３・・・（図４参照）に嵌合させる突起９２と、この突起９２からハンドル１５後方に延出することで係止解除レバー８１に一体的に形成した延出部９３と、この延出部９３に形成したスプリング保持部９４と、このスプリング保持部９４に前端を支持させるとともに後端を支持リブ５７に支持させることでレバー複合体３８（係止解除レバー８１及び係止機構８２）全体を復帰させる復帰ばね９５と、延出部９３に形成することでストッパ部材８３の第２の係合部８７に係合させる段差部９６と、から構成し、機体１１（図２参照）の軸部３２に所定角度で係止できる機構である。
【００２７】
図６は本発明に係る動力作業機の係止解除レバー及び係止機構の縦断面図であり、すなわち、係止機構８２は、スプリング保持部９４に復帰ばね９５を収納し、この復帰ばね９５の後端を支持リブ５７に支持させ、ハンドル１５（図２参照）前方に向けてレバー複合体３８を付勢したことを示す。
【００２８】
従って、係止解除レバー８１（レバー複合体３８）をハンドル１５後方に引くことで、軸部３２（図５参照）の任意の溝５３・・・から突起９２を外すことができ、機体１１（図２参照）からハンドル１５の回転を許容できる。また、レバー複合体３８を離すことで、ハンドル１５を所定回転させた位置に当面させた任意の溝５３・・・に突起９２を自動的に係止できる。なお、６５は右ハンドル半割体３４に形成することで復帰ばね９５の脱落を防止する補助リブを示す。
【００２９】
図７は図５の７ー７線断面図であり、ストッパ機構４１の断面を示す。
ストッパ機構４１は、始動スイッチ３９を白抜き矢印の如く下げ（押し）、ストッパ部材８３を一体的に下降させることで、ストッパ部材８３の第１の係合部８６をスロットルレバー３６の嵌合部７６，７６に係合させるともに、係止機構８２の段差部９６から第２の係合部８７を外すことができる部材である。これにより、図７に示す係止解除レバー８１（レバー複合体３８）をハンドル１５後方に引くことができる。
【００３０】
図８は図５の８ー８線断面図であり、ケース体３１（図２参照）の軸部３２に形成した溝５３・・・のひとつに係止機構８２の突起９２が嵌合した状態であることを示し、溝５３・・・はハンドル１５の左右及び下部に９０度毎の角度で形成したので、ハンドルを機体１１（図１参照）に対して垂直及び左右に水平に倒せることを示す。従って、動力作業機１０（図１参照）の使い勝手を向上させることができる。
【００３１】
図９は本発明に係る動力作業機の要部拡大図であり、動力作業機１０は、機体１１の前部に枝葉などを切取る切取り刃１３，１４を設け、機体１１の後部に作業者が握るハンドル１５を回転可能に設け、このハンドル１５にスロットルレバー３６を非作業位置から作業位置までスイング可能に設け、機体１１の中央に原動機１２を設け、この原動機１２で切取り刃１３，１４を駆動し、原動機１２の出力をスロットルレバー３６で調整する形式の動力作業機１０において、ハンドル１５に、機体１１の軸部３２に所定角度で係止できる係止機構８２と、この係止機構８２の解除を行う係止解除レバー８１と、スロットルレバー３６のスイングを規制したときには係止機構８２の作動を許容とするとともにスロットルレバー３６のスイングを許容したときには係止機構８２の作動を規制するストッパ部材８３と、ハンドル１５に昇降可能に取付けることでストッパ部材８３を操作するとともに原動機１２を始動させる始動スイッチ３９と、を備えたものである。
【００３２】
また、動力作業機１０は、機体１１に原動機１２を取付け、この原動機１２で切取り刃１３，１４を駆動するとともに、機体１１に係止機構８２を介してハンドル１５を回転可能に取付け、このハンドル１５に原動機１２の出力を調整するスロットルレバー３６を設けたものとも言える。
【００３３】
例えば、ハンドル回転操作を簡単に行うことができるとすれば、ハンドル操作の作業性を向上できるので好ましいことであり、スロットルレバー操作やハンドル回転操作を確実に行うことのできるようにすることは、誤操作の防止に役立つので好ましいことである。
【００３４】
すなわち、係止機構８２の解除を行う係止解除レバー８１をハンドル１５に設けることで、スロットルレバー３６操作と分離させてハンドル１５の回転操作をすることができる。この結果、ハンドル１５回転操作を簡単に行うことができ、ハンドル１５操作の作業性を向上することができる。
【００３５】
スロットルレバー３６のスイングを規制したときには係止機構８２の作動を許容とするとともにスロットルレバー３６のスイングを許容したときには係止機構８２の作動を規制するストッパ部材８３をハンドル１５に設けることで、スロットルレバー３６の操作中は、ハンドル１５の回転操作を禁止するようにし、ハンドル１５の回転操作中はスロットルレバー３６の操作を禁止することができる。この結果、スロットルレバー３６操作やハンドル１５回転操作を確実に行うことのできる。
【００３６】
また、ストッパ部材８３を操作するために原動機１２を始動させる始動スイッチ３９をハンドル１５に昇降可能に取付けることで、始動スイッチ３９にストッパ部材８３の操作機能を兼ねさせる。この結果、始動スイッチ３９に機能を集中させることができ、動力作業機１０（図１参照）の操作性の向上を図ることができる。
【００３７】
さらに、ストッパ部材８３を操作する始動スイッチ３９を、ハンドル１５の前方上部に配置することで、ハンドル１５を回転操作のためにストッパ部材８３を操作するときはスロットルレバー３６から離れたハンドル１５前方で操作することができ、スロットルレバー３６操作やハンドル１５回転操作を混同して操作することを回避することができる。
この結果、スロットルレバー３６操作やハンドル１５回転操作を確実に行うことのできる。
【００３８】
始動スイッチ３９に、初期状態に復帰させるための弾発手段としての圧縮ばね８５，８５を備えることで、始動スイッチ３９から手を離し、係止機構８２及び係止解除レバー８１を復帰させれば、始動スイッチ３９を自動的に初期状態に戻すことができる。この結果、動力作業機１０（図１参照）のハンドル１５回転操作の操作性の向上を図ることができる。
【００３９】
始動スイッチ３９に、ハンドル１５の前後方向に切換え可能なスライドスイッチを用いることで、始動スイッチ３９本来のスイッチングの前後動作とストッパ部材８３の昇降動作との方向を違えることができる。この結果、始動スイッチ３９のスイッチング操作及びストッパ部材８３操作を確実に行うことができる。
【００４０】
以上に述べた動力作業機１０の作用を説明する。
図１０（ａ），（ｂ）は本発明に係る動力作業機のハンドル係止状態及びレバー複合体のロック状態を示す作用説明図である。
（ａ）において、スロットルレバー３６の当て部７４にスロットル固定レバー３７の作用部７８を当てた状態にしたので、スロットルレバー３６を矢印ｂ１の如く引くことを防止できる。
【００４１】
（ｂ）において、スロットル固定レバー３７を矢印ｂ２の如く押し込むことで、作用部７８を当て部７４から逃がす。これにより、スロットルレバー３６を作動可能状態にすることができる。
【００４２】
図１１（ａ），（ｂ）は本発明に係る動力作業機のスロットルレバー作動状態及びハンドル回転状態を示す作用説明図である。
（ａ）において、スロットルレバー３６を矢印ｂ３の如く引くことで、スロットル固定レバー３７の作用部７８をスロットルレバー３６の逃げ部７５に逃がし、図１に示す上下の切取り刃１３，１４を作動させ刈り込み作業を行うことができる。
【００４３】
（ｂ）において、図１０（ａ）に示すスロットルレバー３６、スロットル固定レバー３７及びレバー複合体３８の状態から、始動スイッチ３９を矢印ｂ４の如く下降させることで、ストッパ部材８３の第１の係合部８６をスロットルレバー３６の嵌合部７６に嵌め込むとともに、第２の係合部８７を係止機構８２の段差部９６から外すことができる。この結果、スロットルレバー３６をロック状態にすることができるとともに、複合レバー３８（係止解除レバー８１及び係止機構８２）を矢印ｂ５の如くハンドル１５後方に引くことができ、ハンドル１５回転操作をすることができる。
【００４４】
図１２（ａ）〜（ｃ）は本発明に係る動力作業機のハンドルのセット位置の態様を示す作用説明図である。なお、本図では軸部３２の溝５３・・・を、左の溝５３Ｌ、中央の溝５３Ｃ及び右の溝５３Ｒに区別して説明する。
（ａ）において、ハンドル１５を左へ９０度回転させたときの動力作業機１０の状態であり、例えば、生垣などの側面下方をトリミングする場合に好都合な設定であり、（ｂ）に示すように、係止機構８２の突起９２を右の溝５３Ｒに嵌合させたものである。
【００４５】
（ｃ）において、ハンドル１５を正規の位置にセットした動力作業機１０の状態であり、例えば、生垣などの上面をトリミングする場合に好都合な設定であり、（ｄ）に示すように、係止機構８２の突起９２を左の溝５３Ｃに嵌合させたものである。
【００４６】
（ｅ）において、ハンドル１５を右へ９０度回転させたときの動力作業機１０の状態であり、例えば、生垣などの側面上方をトリミングする場合に好都合な設定であり、（ｆ）に示すように、係止機構８２の突起９２を左の溝５３Ｌに嵌合させたものである。
【００４７】
尚、本発明に係る動力作業機は、図２に示すように、上下の切取り刃１３，１４を駆動するように説明したが、これに限るものではなく、上下の切取り刃の一方を往復運動をするようにしたものであってもよい。
【００４８】
本発明に係る動力作業機は、図１に示すように、上下の切取り刃１３，１４は左右に刈取り機能を有する両刃であったが、これに限るものではなく、上下の切取り刃は一方に刈取り機能を備える片刃であってもよい。
【００４９】
本発明に係る動力作業機は、図４に示すように、右のハンドル半割体３４にスロットルレバー用ボス６１及び固定レバー用ボス６２を設けたが、これに限るものではなく、左のハンドル半割体にスロットルレバー用ボス及び固定レバー用ボスを設けたものでもよく、左右のハンドル半割体の双方にスロットルレバー用ボス及び固定レバー用ボスを設けたものであってもよい。
【００５０】
本発明に係る動力作業機は、図５に示すように、係止解除レバー８１及び係止機構８２をレバー複合体３８として一体的に形成したが、これに限るものではなく、係止解除レバー及び係止機構を別体で形成し、これらの係止解除レバー及び係止機構を結合したものであってもよい。
本発明に係る動力作業機は、図９に示すように、係止機構８２の動作をストッパ機構４１で規制するようにしたが、これに限るものではなく、係止解除レバーをストッパ機構で規制するようにしたものであってもよい。
【産業上の利用可能性】
【００５１】
本発明に係る動力作業機は、生垣などの手入れに使用するヘッジトリマに採用するのに好適である。
【図面の簡単な説明】
【００５２】
【図１】本発明に係る動力作業機の斜視図である。
【図２】本発明に係る動力作業機の側面図である。
【図３】本発明に係る動力作業機のハンドルの側面断面図である。
【図４】本発明に係る動力作業機のハンドルの主な部品を示す分解斜視図である。
【図５】本発明に係る動力作業機の係止解除レバー及び係止機構の横断面図である。
【図６】本発明に係る動力作業機の係止解除レバー及び係止機構の縦断面図である。
【図７】図５の７ー７線断面図である。
【図８】図５の８ー８線断面図である。
【図９】本発明に係る動力作業機の要部拡大図である。
【図１０】本発明に係る動力作業機のハンドル係止状態及びレバー複合体のロック状態を示す作用説明図である。
【図１１】本発明に係る動力作業機のスロットルレバー作動状態及びハンドル回転状態を示す作用説明図である。
【図１２】本発明に係る動力作業機のハンドルのセット位置の態様を示す作用説明図である。
【図１３】従来の基本構成を説明する図である。
【符号の説明】
【００５３】
１０…動力作業機、１１…機体、１２…原動機、１３，１４…上下の切取り刃、１５…ハンドル、３２…軸部、３６…スロットルレバー、３９…始動スイッチ、８１…係止解除レバー、８２…係止機構、８３…ストッパ部材。
【図１】
2005261393.tif 000003
【図２】
2005261393.tif 000004
【図３】
2005261393.tif 000005
【図４】
2005261393.tif 000006
【図５】
2005261393.tif 000007
【図６】
2005261393.tif 000008
【図７】
2005261393.tif 000009
【図８】
2005261393.tif 000010
【図９】
2005261393.tif 000011
【図１０】
2005261393.tif 000012
【図１１】
2005261393.tif 000013
【図１２】
2005261393.tif 000014
【図１３】
2005261393.tif 000015